(57)【要約】【課題】  光送受信装置を設置するためのスペースや電力を削減し、光送受信装置間の接続も不要としてシンプルな構成とすること。【解決手段】  中継局３３には、プラガブル構造を有する光トランシーバ３７−１〜３７−ｎ，３８−１〜３８−ｎを搭載する光送受信装置３６−１〜３６−ｎが設置されている。端局（甲）３１の光送受信装置３４−１から端局（乙）３２の光送受信装置３５−１へ送信される光信号を光トランシーバ３７−１にて受信し、光−電気変換を実施後に同一の光トランシーバ３７−１を用いて端局（乙）３２の光送受信装置３５−１へ送出される。１つのプラガブル構造を有する光トランシーバ３７−１〜３７−ｎ及び３８−１〜３８−ｎを用いて、端局（甲）３１と端局（乙）３２との間で１本の光信号の中継伝送が可能となる。【選択図】  図３
2005269100.tif 000002
【特許請求の範囲】
【請求項１】
一方の端局と他方の端局の間で、１心または２心を用いた光伝送用の光送受信装置であって、少なくても１つの前記光伝送用のプラガブル構造を有する光トランシーバを搭載可能とし、１本の光信号の入力と出力を１つの光トランシーバを用いて光−電気変換を行なうことを特徴とする光送受信装置。
【請求項２】
前記光伝送方式が、１心または２心を用いた光波長多重伝送用の光送受信装置であって、少なくても１つの前記光波長多重伝送用のプラガブル構造を有する光トランシーバを搭載可能とし、１本の光信号を入力した光波長と同一の光波長を出力する１つの光トランシーバを用いて光−電気変換を行なうことを特徴とする請求項１に記載の光送受信装置。
【請求項３】
前記光伝送方式が、１心または２心を用いた光波長多重伝送用の光送受信装置であって、少なくても１つの前記光波長多重伝送用のプラガブル構造を有する光トランシーバを搭載可能とし、１本の光信号を入力した光波長と異なる光波長を出力する１つの光トランシーバを用いて光−電気変換を行なうことを特徴とする請求項１に記載の光送受信装置。
【請求項４】
搭載可能な２つの前記光伝送用または光波長多重伝送用のプラガブル構造を有する光トランシーバを利用し、１本の光信号の入力と出力を１つの光トランシーバを用いた光−電気変換と、１本の光信号の入力と出力を別の２つの光トランシーバを用いた光−電気変換との切替スイッチを有することを特徴とする請求項１に記載の光送受信装置。
【発明の詳細な説明】
【技術分野】
【０００１】
本発明は、光送受信装置に関し、より詳細には、端局（甲）と端局（乙）との間で、１心または２心を用いた光伝送及び光波長多重伝送に用いる光送受信装置に関する。
【背景技術】
【０００２】
各種ブロードバンドサービスの普及に伴い、経済的な光伝送及び光波長多重伝送技術が適用されているが、サービスノードや拠点の集約等に伴い、伝送距離の長距離化も必要となっている。
【０００３】
図１は、従来の２心を用いた光伝送における中継局を介する伝送距離の長距離化の構成図で、２心を用いる光伝送の伝送距離の長距離化において光−電気変換を用いる中継伝送を行なう場合の構成例を示している。図中符号１は端局（甲）、２は端局（乙）、３は中継局、４−１〜４−ｎ，５−１〜５−ｎ，６−１〜６−ｎ，７−１〜７−ｎは光送受信装置を示している。
【０００４】
図１に示した光伝送における中継伝送形態は、端局（甲）１と端局（乙）２との間に、中継局３を介した中継伝送を行なう形態であり、端局（甲）１には電気又は光の局内ＩＦと局間光伝送用光ＩＦを有する光送受信装置４−１〜４−ｎが設置され、対向する端局（乙）２には、電気又は光の局内ＩＦと局間光伝送用光ＩＦを有する光送受信装置５−１〜５−ｎが設置されている。
【０００５】
端局（甲）１と端局（乙）２との間における伝送距離の長距離化のため、中継局３において光−電気変換を用いる中継伝送方式を行なう場合、中継局３には、端局（甲）１の光送受信装置４−１…４−ｎに対向する電気または光の局内ＩＦと局間光ＩＦを有する光送受信装置６−１…６−ｎと端局（乙）２の光送受信装置５−１…５−ｎに対向する電気または光の局内ＩＦと局間光ＩＦを有する光送受信装置７−１…７−ｎを設置し、中継局３において電気または光の局内ＩＦで光送受信装置６−１…６−ｎと光送受信装置７−１…７−ｎが接続されている。
【０００６】
この場合、中継局３では、前記各端局に設置される光送受信装置と対向する光送受信装置を２台設置することで、端局（甲）１と端局（乙）２間を中継伝送することが可能となる。
【０００７】
図２は、従来の１心を用いた光波長多重伝送における中継局を介する伝送距離の長距離化の構成図で、光波長多重伝送の伝送距離の長距離化において、中継局にて光−電気変換を用いて長距離化を実施する場合の構成例を示している。図中符号１１は端局（甲）、１２は端局（乙）、１３は中継局、１４−１〜１４−ｎ，１５−１〜１５−ｎ，１９−１〜１９−ｎ，２０−１〜２０−ｎは光送受信装置、１６，１７，１８，２１はＷＤＭフィルタを示している。
【０００８】
図２に示した光波長多重伝送における中継伝送形態は、端局（甲）１１と端局（乙）１２との間に、中継局１３を介した中継伝送を行なう形態であり、端局（甲）１１には、電気又は光の局内ＩＦと光波長多重用局間光ＩＦを有する光送受信装置１４−１〜１４−ｎとＷＤＭフィルタ１６が設置され、ＷＤＭフィルタ１６を用いて光送受信装置１４−１〜１４−ｎの光信号が合分波されるように構成されている。
【０００９】
また、対向する端局（乙）１２には、電気又は光の局内ＩＦと光波長多重用局間光ＩＦを有する光送受信装置１５−１〜１５−ｎとＷＤＭフィルタ１７が設置され、ＷＤＭフィルタ１７を用いて光送受信装置１５−１〜１５−ｎの光信号が合分波されるように構成されている。
【００１０】
端局（甲）１１と端局（乙）１２との間における伝送距離の長距離化のため、中継局１３において光−電気変換を用いた中継伝送方式を行なう場合、中継局１３には、端局（甲）１１の光送受信装置１４−１…１４−ｎに対向する電気または光の局内ＩＦと局間光ＩＦを有する光送受信装置１９−１…１９−ｎと、端局（乙）１２の光送受信装置１５−１…１５−ｎに対向する電気または光の局内ＩＦと局間光ＩＦを有する光送受信装置２０−１…２０−ｎを設置し、中継局１３における電気または光の局内ＩＦで光送受信装置１９−１…１９−ｎと光送受信装置２０−１…２０−ｎとが接続され、端局（甲）１１のＷＤＭフィルタ１６と対向するＷＤＭフィルタ１８と端局（乙）１２のＷＤＭフィルタ１７と対向するＷＤＭフィルタ２１が設置され、中継局１３に設置されるＷＤＭフィルタ１８にて光送受信装置１９−１〜１９−ｎの光信号が合分波され、ＷＤＭフィルタ２１にて光送受信装置２０−１〜２０−ｎの光信号が合分波されるように構成されている。
【００１１】
この場合、中継局１３では、ＷＤＭフィルタを介して前記各端局に設置される光送受信装置と対向する光送受信装置を２台設置することで、端局（甲）１１と端局（乙）１２間を中継伝送することが可能となる。
【００１２】
この中継伝送において、端局（甲）１１と中継局１３との間で用いる光波長と、中継局１３と端局（乙）１２との間で用いる光波長が同一の場合には、中継局にて光送受信装置１９−１〜１９−ｎと同一波長の光送受信装置２０−１〜２０−ｎを対向することで同一波長による端局（甲）１１と端局（乙）１２との間の光中継伝送することが可能となる。
【００１３】
また、この中継伝送において、端局（甲）１１と中継局１３との間で用いる光波長と、中継局１３と端局（乙）１２との間にて用いる光波長が異なる場合には、中継局にて光送受信装置１９−１〜１９−ｎと波長の異なる光送受信装置２０−１〜２０−ｎを対向することにより、端局（甲）１１と端局（乙）１２との間の中継距離の長距離化に加え、光波長変換への対応が可能となる。
【００１４】
【非特許文献１】http://www.photonixnet/08.1.html
【発明の開示】
【発明が解決しようとする課題】
【００１５】
しかしながら、上述した図１及び２に示す従来の構成では、端局（甲）と端局（乙）の間の中継伝送の長距離化または光波長変換を実施する場合、中継局にて同一の光波長または異なる光波長の光送受信装置を２台対向することで伝送距離の長距離化または光波長変換を実施しているため、装置コストが高く、光送受信装置を設置するためのスペースや電力、光送受信装置間を接続するためのケーブル類が必要となり構成が複雑となるという問題がある。
【００１６】
本発明は、このような問題に鑑みてなされたもので、その目的とするところは、１台の光送受信装置に着脱交換可能な少なくても１つのプラガブル構造を有する光トランシーバを収容し、少なくても１つの光トランシーバによる光−電気変換を用いて１本の光信号の中継伝送又は光波長変換へ対応可能とし、装置コストの低減、光送受信装置を設置するためのスペースや電力を削減し、光送受信装置間の接続も不要としてシンプルな構成とするような光送受信装置を提供することにある。
【課題を解決するための手段】
【００１７】
本発明は、このような目的を達成するためになされたもので、請求項１に記載の発明は、一方の端局と他方の端局の間で、２心を用いた光伝送の長距離化を行なうにあたり、中継局にて光−電気変換を用いる光送受信装置であって、少なくても１つの前記光伝送用のプラガブル構造を有する光トランシーバを搭載可能とし、前記１つの光トランシーバを用いて１本の光信号の光−電気変換を行い、前記一方の端局と前記他方の端局との間での光伝送における長距離伝送用の光中継器として用いることを特徴とする。（単一光トランシーバ利用光中継器用光送受信装置）
【００１８】
また、請求項２に記載の発明は、請求項１に記載の発明において、前記中継伝送方式が、１心または２心を用いた光波長多重伝送の長距離化を行なうにあたり、前記一方の端局と前記中継局との間の光波長と、前記中継局と前記他方の端局との光波長を変更しない中継伝送方式であって、少なくても１つの前記光波長多重伝送用のプラガブル構造を有する光トランシーバを搭載可能とし、前記１つの光トランシーバを用いて１本の光信号の光−電気変換を行い、入力される光波長と同一の光波長を出力可能な前記光トランシーバを用いることで、光波長多重伝送における長距離伝送用の同一光波長による光中継器として用いることを特徴とする。（単一光トランシーバ利用ＷＤＭ光中継器用光送受信装置（同一波長））
【００１９】
また、請求項３に記載の発明は、請求項１に記載の発明において、前記中継伝送方式が、１心または２心を用いた光波長多重伝送の長距離化を行なうにあたり、前記一方の端局と前記中継局との間の光波長と、前記中継局と前記他方の端局との光波長を変更する中継伝送方式であって、少なくても１つの前記光波長多重伝送用のプラガブル構造を有する光トランシーバを搭載可能とし、前記１つの光トランシーバを用いて１本の光信号の光−電気変換を行い、入力される光波長と異なる光波長を出力可能な前記光トランシーバを用いることで、光波長多重伝送における長距離伝送用の異波長による光中継局として用いることを特徴とする。（単一光トランシーバ利用ＷＤＭ光中継器用光送受信装置（異波長））
【００２０】
また、請求項４に記載の発明は、請求項１に記載の発明において、前記光送受信装置に搭載される２つの前記光伝送用または光波長多重伝送用のプラガブル構造を有する光トランシーバを用いて、１本の光信号の入力と出力を１つの光トランシーバを用いた光−電気変換と（ループ形態）、１本の光信号の入力と出力を別の２つの光トランシーバを用いた光−電気変換（インライン形態）との切替機能を有する光送受信装置として用いることを特徴とする。
【００２１】
つまり、本発明は、少なくても１つのプラガブル構造を有する光トランシーバを用いて１本の光信号の光−電気変換を行い、前記光−電気変換を用いて端局（甲）と端局（乙）との間での光伝送における長距離伝送用の光中継器として利用可能な１台の光送受信装置を実現するものである。
【００２２】
このような構成により、これまで２台の光送受信装置を対向することで伝送距離の長距離化または光波長変換を実施していた構成を、少なくても１つの光トランシーバを用いた１台の光送受信装置を用いることで光信号の中継伝送又は光波長変換への対応が可能となる。
【００２３】
さらに、請求項４に記載の発明によれば、端局（甲）と端局（乙）との間での光伝送の長距離化を行なうにあたり、中継局にて光−電気変換を用いる場合と、端局（甲）または端局（乙）のいずれかの端局にて光−電気変換を用いる場合の両方に対応し、適用形態を切替えることで、組合せる光トランシーバの選択肢が増えることにより、最適な光トランシーバを組み合わせて、より経済的な構成による対応が可能となる光送受信装置を実現するものである。
【００２４】
また、切替え機能による光トランシーバの組合わせの選択肢が拡大することにより、本発明の光送受信装置の適用領域が拡大され、物量の拡大による経済化が見込まれる。
【００２５】
また、切替え機能の実現は、光送受信装置内部にプラガブル構造を有する光トランシーバとのループ回路及び光トランシーバ間の信号切替回路を設けることにより、少なくても１つの光トランシーバを用いて１本の光信号の中継伝送が実現可能となる。
【発明の効果】
【００２６】
以上説明したように、本発明によれば、光信号の中継伝送時において少なくても１つの光トランシーバを用いた１台の光送受信装置を用いることで伝送距離の長距離化や光波長変換へ対応可能となることから、装置コストの低減、光送受信装置を設置するためのスペースや電力を削減し、光送受信装置間の接続も不要としてシンプルな構成とすることが可能となる。
【発明を実施するための最良の形態】
【００２７】
以下、図面を参照して本発明の実施例について説明する。  
【実施例１】
【００２８】
図３は、本発明に係わる光送受信装置の実施例１を説明するための構成図で、２心を用いた光伝送の伝送距離の長距離化において、中継局にて光−電気変換を用いて長距離化又は光波長変換を実施する場合の構成を示している。
【００２９】
図中符号３１は端局（甲）、３２は端局（乙）、３３は中継局、３４−１〜３４−ｎ，３５−１〜３５−ｎ，３６−１〜３６−ｎは光送受信装置、３７−１〜３７−ｎ，３８−１〜３８−ｎは中継局３１に設置される光送受信装置３６−１〜３６−ｎに搭載されるプラガブル構造を有する光トランシーバを示している。
【００３０】
図３に示した光伝送における中継伝送形態は、端局（甲）３１と端局（乙）３２との間に、中継局３３を介した中継伝送を行なう形態であり、端局（甲）３１には電気又は光の局内ＩＦと局間光伝送用光ＩＦを有する光送受信装置３４−１〜３４−ｎが設置され、対向する端局（乙）３２には、電気又は光の局内ＩＦと局間光伝送用光ＩＦを有する光送受信装置３５−１〜３５−ｎが設置され、端局（甲）３１の光送受信装置３４−１〜３４−ｎと、端局（乙）３２の光送受信装置３５−１〜３５−ｎとは、中継局３３を介して接続されている。
【００３１】
端局（甲）３１と端局（乙）３２との間の伝送距離の長距離化に伴い、中継局３３において光−電気変換を用いて中継伝送を行なう場合、中継局３３には、プラガブル構造を有する光トランシーバ３７−１〜３７−ｎ，３８−１〜３８−ｎを搭載する光送受信装置３６−１〜３６−ｎが設置され、端局（甲）３１の光送受信装置３４−１から端局（乙）３２の光送受信装置３５−１へ送信される光信号を中継局３３に設置される光送受信装置３６−１に搭載される光トランシーバ３７−１にて受信し、光−電気変換を実施後に同一の光トランシーバ３７−１を用いて端局（乙）３２の光送受信装置３５−１へ送出されるように構成されている。
【００３２】
同様に、端局（乙）３２の光送受信装置３５−１から端局（甲）３１の光送受信装置３４−１へ送信される光信号を中継局３３に設置される光送受信装置３６−１に搭載される光トランシーバ３８−１にて受信し、光−電気変換を実施後に同一の光トランシーバ３８−１を用いて、端局（甲）３１の光送受信装置３４−１へ送出されるように構成されている。
【００３３】
以上のように、中継局３３に設置される光送受信装置３６−１〜３６−ｎにおいて、１つのプラガブル構造を有する光トランシーバ３７−１〜３７−ｎ及び３８−１〜３８−ｎを用いて、端局（甲）３１と端局（乙）３２との間で１本の光信号の中継伝送が可能となる。
【実施例２】
【００３４】
図４は、本発明に係わる光送受信装置の実施例２を説明するための構成図で、１心を用いた光波長多重伝送の伝送距離の長距離化又は光波長変換において、中継局にて光−電気変換を用いて長距離化又は光波長変換を実施する場合の構成を示している。
【００３５】
図中符号４１は端局（甲）、４２は端局（乙）、４３は中継局、４４−１〜４４−ｎ，４７−１〜４７−ｎ，４９−１〜４９−ｎは光送受信装置、４５，４６，４８，５２はＷＤＭフィルタ、５０−１〜５０−ｎ，５１−１〜５１−ｎは中継局４３に設置される光送受信装置４９−１〜４９−ｎに搭載されるプラガブル構造を有する光トランシーバを示している。
【００３６】
図４に示した光波長多重伝送における中継伝送又は光波長変換形態は、端局（甲）４１と端局（乙）４２との間に、中継局４３を介して中継伝送又は光波長変換を行なう形態であり、端局（甲）４１には電気又は光の局内ＩＦと光波長多重伝送用の局間光ＩＦを有する光送受信装置４４−１〜４４−ｎが設置され、ＷＤＭフィルタ４５にて光波長多重分離されるように構成されている。
【００３７】
一方、対向する端局（乙）４２には、電気又は光の局内ＩＦと光波長多重伝送用の局間光ＩＦを有する光送受信装置４７−１〜４７−ｎが設置されＷＤＭフィルタ４６にて光波長多重分離されるように構成されている。
【００３８】
中継局４３において、伝送距離の長距離化又は光波長変換を行なう場合、中継局４３には、プラガブル構造を有する光トランシーバ５０−１〜５０−ｎ，５１−１〜５１−ｎを搭載する光送受信装置４９−１〜４９−ｎが設置され、端局（甲）４１のＷＤＭフィルタ４５と対向するＷＤＭフィルタ４８及び端局（乙）４２のＷＤＭフィルタ４６と対向するＷＤＭフィルタ５２が設置されている。
【００３９】
また、端局（甲）４１の光送受信装置４４−１から送出され、ＷＤＭフィルタ４５にて光波長多重分離後に、端局（乙）４２のＷＤＭフィルタ４６にて光多重分離後に光送受信装置４７−１にて受信される光信号を、中継局４３に設置されるＷＤＭフィルタ４８を介して光送受信装置４９−１に搭載される光トランシーバ５０−１にて受信し、光−電気変換を実施後に同一の光トランシーバ５０−１を用いて送出され、中継局４３に設置されるＷＤＭフィルタ５２にて光波長多重分離後に、端局（乙）４２のＷＤＭフィルタ４６を介して光送受信装置４７−１にて受信されるように構成されている。
【００４０】
同様に、端局（乙）４２の光送受信装置４７−１から送出され、ＷＤＭフィルタ４６にて光波長多重分離後に、端局（甲）４１のＷＤＭフィルタ４５を介して光送受信装置４４−１にて受信される光信号を、中継局４３に設置されるＷＤＭフィルタ５２を介して光送受信装置４９−１に搭載される光トランシーバ５１−１にて受信し、光−電気変換を実施後に同一の光トランシーバ５１−１を用いて送出し、中継局４３に設置されるＷＤＭフィルタ４８にて光波長多重分離後に、端局（甲）４１の光送受信装置４４−１にて受信されるように構成されている。
【００４１】
また、端局（乙）４１と中継局４３との間で用いる光波長と、中継局４３と端局（乙）４２の間で用いる光波長が同一の場合、中継局４３に設置される光送受信装置４９−１〜４９−ｎに、受信する光信号と同一の光波長の光信号を出力するプラガブル構造を有する光トランシーバ５０−１〜５０−ｎ，５１−１〜５１−ｎを搭載することで、端局（甲）４１と端局（乙）４２の間の中継伝送が可能となる。
【００４２】
また、端局（乙）４１と中継局４３との間で用いる光波長と、中継局４３と端局（乙）４２の間で用いる光波長を変換する必要がある場合、中継局４３に設置される光送受信装置４９−１〜４９−ｎに受信する光信号と異なる光波長の光信号を出力するプラガブル構造を有する光トランシーバ５０−１〜５０−ｎ，５１−１〜５１−ｎを搭載することで、端局（甲）４１と端局（乙）４２の間の光波長を変換することが可能となる。
【００４３】
以上のように、中継局４３に設置される光送受信装置４９−１〜４９−ｎにおいて１つの光トランシーバ５０−１〜５０−ｎ及び５１−１〜５１−ｎを用いて１本の光信号を端局（甲）４１と端局（乙）４２との間を中継伝送又は光波長変換することが可能となる。
【実施例３】
【００４４】
図５（ａ），（ｂ）は、本発明に係わる光送受信装置の実施例３を説明するための構成図で、光送受信装置に搭載される２つの前記光伝送用または光波長多重伝送用のプラガブル構造を有する光トランシーバを用いて、図５（ａ）は、１本の光信号の入力と出力を１つの光トランシーバを用いた光−電気変換を示し、図５（ｂ）は、１本の光信号の入力と出力を別の２つの光トランシーバを用いた光−電気変換の構成を示している。
【００４５】
図中符号６１は光送受信装置、６２−１〜６２−２は光送受信装置６１に搭載されるプラガブル構造を有する光トランシーバを示し、光トランシーバ６２−１にはＰＤ６３−１及びＬＤ６４−１が搭載され、同様に光トランシーバ６２−２には、ＰＤ６３−２及びＬＤ６４−２が搭載され、６５は信号の運用形態を切り替える切替用スイッチを示している。
【００４６】
図５（ａ）は、１本の光信号の入力と出力を１つの光トランシーバを用いた光−電気変換の構成図で、光送受信装置６１に搭載される光トランシーバ６２−１のＰＤ６３−１で受信された光信号が光−電気変換され、光送受信装置６１を介して同一の光トランシーバ６２−１のＬＤ６４−１にて出力される。同様に光送受信装置６１に搭載される光トランシーバ６２−２のＰＤ６３−２で受信された光信号が光−電気変換され、光送受信装置６１を介して同一の光トランシーバ６２−２のＬＤ６４−２にて出力されるように構成されている。
【００４７】
また、図５（ｂ）は、１本の光信号の入力と出力を別の２つの光トランシーバを用いた光−電気変換の構成図で、光送受信装置６１に搭載される光トランシーバ６２−１のＰＤ６３−１で受信された光信号が光−電気変換され、光送受信装置６１を介して光トランシーバ６２−２のＬＤ６４−２にて出力されるように構成されている。同様に、光送受信装置６１に収容される光トランシーバ６２−２のＰＤ６３−２で受信された光信号が光−電気変換され、光送受信装置６１を介して光トランシーバ６２−１のＬＤ６４−１にて出力されるように構成されている。
【００４８】
以上のように、主信号の運用形態切替スイッチを切り替えることで、同一の光送受信装置を用いて光送受信装置に搭載される２つのプラガブル構造を有する光トランシーバを用いて、１本の光信号の入力と出力を１つの光トランシーバを用いた光−電気変換と、１本の光信号の入力と出力を別の２つの光トランシーバを用いた光−電気変換との切替による光送受信装置として用いることが可能となる。
【００４９】
図５（ａ）に示した構成では、１波長の伝送に１つの光トランシーバのみで対応可能なため、映像伝送サービス等の１波長を利用した片方向サービスへ適用する場合、１つの光トランシーバのみで対応することで、光トランシーバコストを最小にすることが可能となる。また、光トランシーバは、大きく分類して長距離伝送用の高性能タイプ（高出力・高受信感度）と短距離伝送用の廉価版タイプ（低出力・低受信感度）の２種類に分けることができる。
【００５０】
図５（ｂ）に示した構成では、２つの端局に設置される他の光送受信装置の間に本光送受信装置を設置して伝送距離の長距離化を実施することが可能となるが、本光送受信装置を何れかの端局に設置する場合、同一の端局に設置される送受信装置との伝送距離が短くなる。この場合、同一端局に設置される光送受信装置と他の端局に設置される光送受信装置間との伝送距離が違う場合、残りの距離の長い区間は長距離伝送用の光トランシーバとし、距離の短い区間には短距離伝送用の光トランシーバとすることで、光アッテネータを用いたレベル調整を不要とし最小のコストで伝送距離の長距離化が可能となる。
【００５１】
以上のように、適用形態の切替を可能とすることで、組合せ可能な光トランシーバの選択肢が増えることにより、最適な光トランシーバを組合わせて対応することで、より経済的な構成が可能となる。
【実施例４】
【００５２】
図６（ａ），（ｂ）は、本発明に係わる光送受信装置の実施例４を説明するための構成図で、２心を用いた光伝送の伝送距離の長距離化において、端局（甲）にて光−電気変換を用いて長距離化又は光波長変換を実施する場合の構成を示している。
【００５３】
光送受信装置に搭載される２つの前記光伝送用または光波長多重伝送用のプラガブル構造を有する光トランシーバを用いて、図６（ａ）は、１本の光信号の入力と出力を１つの光トランシーバを用いた光−電気変換を示し、図６（ｂ）は、１本の光信号の入力と出力を別の２つの光トランシーバを用いた光−電気変換の構成を示している。
【００５４】
図中符号７１は端局（甲）、７２は端局（乙）、７３，７４，７５は光送受信装置、７６−１及び７６−２は光送受信装置７５に搭載されるプラガブル構造を有する光トランシーバを示している。
【００５５】
図６（ａ）は、１本の光信号の入力と出力を１つの光トランシーバを用いた光−電気変換の構成図で、端局（甲）７１に設置される光送受信装置７３からの光信号が端局（甲）７１に設置される光送受信装置７５に搭載される光トランシーバ７６−１で受信され、光送受信装置７５を介して光−電気変換され同一の光トランシーバ７６−１にて出力される。同様に端局（乙）７２に設置される光送受信装置７４からの光信号が端局（甲）７１に設置される光送受信装置７５に搭載される光トランシーバ７６−２で受信され、光送受信装置７５を介して光信号が光−電気変換され同一の光トランシーバ７６−２にて出力されるように構成されている。
【００５６】
この構成の場合、端局（甲）７１に設置される光送受信装置７５に搭載される光トランシーバ７６−１及び７６−２は、端局（甲）７１と端局（乙）７２間の伝送距離の長距離化のため、２台とも高性能な光トランシーバが要求される。この場合、端局（甲）７１に設置される光送受信装置７３と７５の間の伝送距離が短い場合、光アッテネータ等を用いたレベル調整等が必要となる場合がある。
【００５７】
また、図６（ｂ）は、１本の光信号の入力と出力を別の２つの光トランシーバを用いた光−電気変換の構成図で、端局（甲）７１に設置される光送受信装置７３からの光信号が端局（甲）７１に設置される光送受信装置７５に搭載される光トランシーバ７６−１で受信され、光送受信装置７５を介して光−電気変換され光トランシーバ７６−２にて出力されるように構成されている。同様に、端局（乙）７２に設置される光送受信装置７４からの光信号が端局（甲）７１に設置される光送受信装置７５に搭載される光トランシーバ７６−２で受信され、光送受信装置７５を介して光信号が光−電気変換され光トランシーバ７６−１にて出力されるように構成されている。
【００５８】
この構成の場合、端局（甲）７１に設置される光送受信装置７５に搭載される光トランシーバ７６−２は、図６（ａ）の構成と同様に、端局（甲）７１と端局（乙）間の伝送距離の長距離化のため、高性能な光トランシーバが要求されるが、端局（甲）に設置される光送受信装置７５に搭載される光トランシーバ７６−１は、端局（甲）７１に設置される光送受信装置７３と７５の間の伝送距離が短い場合は、高性能な光トランシーバを用いる必要がなく、低廉な光トランシーバが活用可能であり、図６（ａ）構成のような光アッテネータ等を用いたレベル調整等が不要となる。
【００５９】
以上のように、適用形態にあわせて１本の光信号の入力と出力を１つの光トランシーバを用いた光−電気変換と、１本の光信号の入力と出力を別の２つの光トランシーバを用いた光−電気変換との切替機能を有することで、組合せ可能な光トランシーバの選択肢が増えることが可能となり、最適な光トランシーバを組合わせて対応することで、シンプルな構成が可能となるとともに、本光送受信装置の適用領域が拡大され、物量の拡大による経済化が見込まれる。
【産業上の利用可能性】
【００６０】
本発明は、端局（甲）と端局（乙）との間で、１心または２心を用いた光伝送の長距離化を行なうにあたり、中継局または端局において光−電気変換を用いる中継伝送方式に適用され、光伝送及び光波長多重技術を用いた光送受信装置に関し、光送受信装置に搭載される少なくても１台のプラガブル構造を有する光トランシーバを用いることで１本の光信号の伝送距離の長距離化又は光波長の変換へ対応可能とし、装置コストの低減、光送受信装置を設置するためのスペースや電力を削減し、光送受信装置間の接続も不要としてシンプルな光送受信装置を提供することができる。
【図面の簡単な説明】
【００６１】
【図１】従来の２心を用いた光伝送における中継局を介する伝送距離の長距離化の構成図である。
【図２】従来の１心を用いた光波長多重伝送における中継局を介する伝送距離の長距離化の構成図である。
【図３】本発明に係わる光送受信装置の実施例１を説明するための構成図である。
【図４】本発明に係わる光送受信装置の実施例２を説明するための構成図である。
【図５】（ａ），（ｂ）は、本発明に係わる光送受信装置の実施例３を説明するための構成図である。
【図６】（ａ），（ｂ）は、本発明に係わる光送受信装置の実施例４を説明するための構成図である。
【符号の説明】
【００６２】
１，１１  端局（甲）
２，１２  端局（乙）
３，１３  中継局
４−１〜４−ｎ，５−１〜５−ｎ，６−１〜６−ｎ，７−１〜７−ｎ，１４−１〜１４−ｎ，１５−１〜１５−ｎ，１９−１〜１９−ｎ、２０−１〜２０−ｎ  光送受信装置
１６，１７，１８，２１  ＷＤＭフィルタ
３１，４１，７１  端局（甲）
３２，４２，７２  端局（乙）
３３，４３  中継局
３４−１〜３４−ｎ，３５−１〜３５−ｎ，３６−１〜３６−ｎ，４４−１〜４４−ｎ，４７−１〜４７−ｎ、４９−１〜４９−ｎ，６１，７３，７４，７５  光送受信装置
３７−１〜３７−ｎ，３８−１〜３８−ｎ，５０−１〜５０−ｎ、５１−１〜５１−ｎ，６２−１〜６２−２，７６−１，７６−２  光トランシーバ
４５，４６，４８，５２  ＷＤＭフィルタ
６３−１，６３−２  ＰＤ
ＬＤ６４−１，６４−２  ＬＤ
６５  切替用スイッチ
【図１】
2005269100.tif 000003
【図２】
2005269100.tif 000004
【図３】
2005269100.tif 000005
【図４】
2005269100.tif 000006
【図５】
2005269100.tif 000007
【図６】
2005269100.tif 000008